(57)【特許請求の範囲】
【請求項１】
アンテナ用コイル（２）が第１キャリヤテープ（１）に形成され、チップモジュール（４）が第２キャリヤテープ（５）に保持され、かつ第１及び第２のキャリヤテープがアンテナリール（７）及びリール（９）から各々巻き解かれ、次いで、鋭角な前方縁部（２８）を備えた方向転換クサビ（２７）の下側において、第２キャリヤテープ（５）が第１キャリヤテープ（１）の上に持ち来たされ、チップモジュール（４）が前記第２キャリヤテープ（５）から解放され、予め定めた点において第１キャリヤテープ上に置かれるトランスポンダの製造のために前記第１キャリヤテープ上に配置されたアンテナにマイクロチップモジュールを接続する方法であって、
前記第２キャリヤテープ（５）からの前記チップモジュール（４）の解放が、該第２キャリヤテープを第２リール（１１）に巻き取るために、該クサビの上側傾斜面に沿って前記第２キャリヤテープ（５）のみが案内されるように前記前方縁部（２８）において方向転換され、
前記チップモジュール（４）の第１キャリヤテープ（１）への固定が、該第１キャリヤテープに沿ってその上下に対向配置された上下各々１対のクランクホイール（２４）と、各対のクランクホイールに接続されかつチップモジュールの移動に同期して往復駆動される該第１キャリヤテープの上方及び下方に各々設けられたロッカアーム（２２，２３）と、前記方向転換クサビ（２７）の鋭角な前方縁部（２８）の直後位置において、該ロッカアームの各々に上下に対向して支持された固定スタンプ（２５，２６）とを備えたホルダ装置（２０）により行われ、
更に、前記チップモジュールの第１キャリヤテープへの固定が、前記固定スタンプ（２５，２６）による圧着により達成されることを特徴とする接続方法。
【請求項２】
前記チップモジュール（４）の第１キャリヤテープ（１）への固定が、前記固定スタンプ（２５，２６）の上方部分を該チップモジュールを介した第１キャリヤテープへの押圧により達成され、該モジュールと第１キャリヤテープ上に配置されたアンテナコイル（２）との電気的接続も同時に達成されることを特徴とする請求の範囲第１項に記載の接続方法。
【請求項３】
前記ホルダ装置（２０）が、前記チップモジュール（４）を固定する際に前記第１キャリヤテープ（１）と同期して往復運動するために、前記第１キャリヤテープ（１）と間欠的に接続されることを特徴とする請求の範囲第１項又は第２項のいずれか１項に記載の接続方法。
【請求項４】
前記ホルダ装置（２０）が、ばね装置によってその最初の位置に戻されることを特徴とする請求の範囲第１〜３項の内の何れか１項に記載の接続方法。
【請求項５】
アンテナリール（７）およびアンテナ仕上げリール（８）を備えかつチップモジュール（４）が保持された第２キャリヤテープ（５）を巻き取るためのリール（９）および前記チップモジュールが解放された空の第２キャリヤテープを巻き取るための第２リール（１１）を備え、
前記アンテナリール（７）と前記アンテナ仕上げリール（８）との間に配置されかつ前記チップモジュール（４）前記第１キャリヤテープ上に固定するためのホルダ装置（２０）を備え、
更に、このホルダ装置の直前位置に前記方向転換クサビ（２７）の鋭角な前方縁部（２８）が配置されていることを特徴とする請求の範囲第１〜４項の内の何れか１項に記載の接続方法を実施するための装置。
【請求項６】
前記ホルダ装置（２０）が、前記チップモジュール（４）を前記第１キャリヤテープ（１）に圧着するためのチップモジュール固定用の上方及び下方スタンプ（２５，２６）を有することを特徴とする請求の範囲第５項に記載の装置。
【請求項７】
前記ホルダ装置（２０）が、前記第１キャリヤテープ（１）と同期駆動される複数個のクランクホイ−ル（２４）によって駆動される上方ロッカアーム（２２）及び下方ロッカアーム（２３）とから成る二重ロッカ（２１）を有し、前記二重ロッカが、チップモジュール固定用の上方及び下方固定スタンプ（２５，２６）を支持していることを特徴とする請求の範囲第５項又は第６項に記載の装置。
【請求項８】
前記上方及び下方固定スタンプ（２５，２６）が、加熱可能でありかつ圧着用スタンプとして形成されることを特徴とする請求の範囲第５〜７項の内の何れか１項に記載の装置。
【請求項９】
前記上方及び下方固定スタンプ（２５，２６）が、前記上方及び下方ロッカアーム（２２，２３）に前記第１キャリヤテープ（１）を挟んだ両面に向けて対として配置されていることを特徴とする請求の範囲第５〜８項の内の何れか１項に記載の装置。
【発明の詳細な説明】
【技術分野】
【０００１】
本発明は、アンテナ用コイルが第１キャリヤテープに形成され、チップモジュールが第２キャリヤテープに保持され、かつ第１及び第２のキャリヤテープがアンテナリール及びリールから各々巻き解かれ、次いで、鋭角な前方縁部を備えた方向転換クサビの下側において、第２キャリヤテープが第１キャリヤテープの上に持ち来たされ、チップモジュールが前記第２キャリヤテープから解放され、予め定めた点において第１キャリヤテープ上に置かれるトランスポンダの製造のために前記第１キャリヤテープ上に配置されたアンテナにマイクロチップモジュールを接続する方法に関する。
【背景技術】
【０００２】
この型の方法は、未だ公開されていない独国特許出願第１０１２０２６９号に記載されている。その特許出願に記載された方法によれば、チップモジュールは加熱され得る方向転換ローラのまわりに通され、それによって第２キャリヤテープ上にチップモジュールを保持するニカワの接着力が無力化される。この方法において解放されたチップモジュールは第１キャリヤテープと同期して循環している搬送テープによって固定されかつ次の圧着または半田付けステーションに通される。
【発明の開示】
【０００３】
本発明の目的は初めに記載された従来の方法をさらに改良することにある。
【０００４】
この目的は、前記第２キャリヤテープからの前記チップモジュールの解放が、該第２キャリヤテープを第２リールに巻き取るために、該クサビの上側傾斜面に沿って前記第２キャリヤテープのみが案内されるように前記前方縁部において方向転換され、前記チップモジュールの第１キャリヤテープへの固定が、該第１キャリヤテープに沿ってその上下に対向配置された上下各々１対のクランクホイールと、各対のクランクホイールに接続されかつチップモジュールの移動に同期して往復駆動される該第１キャリヤテープの上方及び下方に各々設けられたロッカアームと、前記方向転換クサビの鋭角な前方縁部の直後位置において、該ロッカアームの各々に上下に対向して支持された固定スタンプとを備えたホルダ装置により行われ、更に、前記チップモジュールの第１キャリヤテープへの固定が、前記固定スタンプによる圧着により達成されることによって解決される。ここで、第２キャリヤテープ、通常、箔が非常に柔軟であり、それに反してチップモジュールが一定の硬さを有する事実が利用される。前方縁部のまわりのキャリヤテープの方向転換はキャリヤテープをチップモジュールから引き剥がして解放する。
【０００５】
この引き剥がし工程は、キャリヤテープが方向転換クサビの前方縁部が鋭角に形成されることによって促進される。両手段は解放工程を促進する。
【０００６】
本発明によれば、第２キャリヤテープから解放されたチップモジュールが、第１キャリヤテープ上にホルダ装置によって固定され、かかるホルダ装置が、少なくとも前記チップモジュールを固定する間は、前記第１キャリヤテープと同期して移動する。この観点において、前記ホルダ装置が、前記チップモジュールを前記第１キャリヤテープ上に固定するために、クランクホイールと、該クランクホイールによって駆動されかつ上方スタンプ及び下方スタンプを有する二重ロッカとを備えていることが必要である。前記ロッカを駆動するクランク機構は、アンテナの端子上の適切な位置に前記チップモジュールを配置する際に、このチップモジュールを前記第１キャリヤテープと同一の速度で動かすように前記第１キャリヤテープの移動速度に容易に同期させることができる。
【０００７】
第１キャリヤテープ上のチップモジュールの配置および固定は、前記チップモジュールが、前記上方及び下方スタンプによって前記第１キャリヤテープ上に圧着されることによって簡単に達成される。前記チップモジュールが何れの場合にも接着箔と嵌合されるという事実が利用される。
【０００８】
代替的に、前記チップモジュールが、前記上方及び下方スタンプによる前記第１キャリヤテープ上への圧着によって、前記アンテナ用コイルへの電気的接続が同時に行なわれる。この観点において、前記二重ロッカが、前記第１キャリヤテープを挟んだ両面に向けて対を成して配置された前記上方及び下方スタンプを各々有する上方ロッカアーム及び下方ロッカアームから成るならば好都合である。対として配置された２つの固定用スタンプは、この方法において圧着ステーションを形成することができ、それによって一方のスタンプが工具を示しかつ他方の固定用スタンプが対向する固定具を示している。
【０００９】
ホルダ装置を同期して駆動する他の方法は、好ましくは、前記ホルダ装置が、前記第１キャリヤテープの速度に同期して間歇的に駆動されることができる。これは、例えば、前記ホルダ装置を前記第１キャリヤテープと摩擦接続するクラッチによって発生し得る。固定工程が終了されるとき、クラッチは、再び、前記ホルダ装置をばね装置によってその最初の位置に戻すことが可能である。
【００１０】
以下で、本発明の実施の形態が図面に基づいてより詳細に説明される。
【発明を実施するための最良の形態】
【００１１】
図１は、取り付けられるべき各チップモジュール４のアンテナとして使用されるコイル２が各々連続的に形成された第１キャリヤテープ１を示している。ここで、アンテナ用のコイル２は電気メッキによる析出によって製造される。コイル２はチップモジュール４と接続するための２つの端子３を備えている。
【００１２】
この型のチップモジュール４は図１に示される。それらは第２キャリヤテープ５上に相前後して連続的に保持される。チップモジュール４は先行する結合工程によって図１に示したチップケース内に包装される。このケースは予め錫メッキされておりかつ矩形のコイル２の端子３に対応して離間した２つの端子パッド６をキャリヤテープの伸長方向に対して垂直に交差する方向に有している。
【００１３】
図３はチップモジュール４がすでに取り付けされた矩形のコイル２を備えたキャリヤテープ１を示している。チップモジュール４はその端子パッド６を介して端子３に圧着されている。
【００１４】
以下において、製造方法を図４および図５に基づいてより詳細に説明する。アンテナコイル２を支持する第１キャリヤテープ1はアンテナリール７上に巻かれかつそれから巻き解かれかつ接続工程後それはアンテナ仕上げリール８上に巻き取られる。
【００１５】
チップモジュール４を支持する第２キャリヤテープ２はリール９上に巻かれかつそれから巻き解かれて接続工程に送られてチップモジュール４が解放された後に第２キャリヤテープのみが第２リール１１上に巻き上げられる。
【００１６】
ホルダ装置２０は、アンテナリール７とアンテナ仕上げリール８との間に設けられる。このホルダ装置２０は、図５でより詳細に見られるように、上方ロッカアーム２２および下方ロッカアーム２３を有する二重ロッカ２１を含んでいる。両ロッカアームは、ここでは４つのクランクホイール２４を含みかつそれらが第１キャリヤテープ１の供給速度に同期した往復運動を上方及び下方ロッカアーム２２，２３に生じるクランク機構によって駆動される。両ロッカアーム２２および２３は各々上方スタンプ２５および下方スタンプ２６を支持し、とりわけ上方スタンプ２５は圧着工具として形成され、一方、下方スタンプ２６は対応する対向固定具を形成する。下方スタンプ２６の前方に直接、方向転換クサビ２７が第２キャリヤテープ５に接触して案内するように設けられる。方向転換クサビ２７は、第２キャリヤテープ５を方向転換することでチップモジュール４を第２キャリヤテープ５から分離されるように鋭い前方縁部２８を有している。
【００１７】
以上、装置の構造を説明したので、次にその作動方法をより詳細に説明する。
【００１８】
アンテナテープ、すなわち第１キャリヤテープ１は、アンテナリール７から連続して巻き解かれそしてアンテナ仕上げリール８上に巻かれる。第２キャリヤテープ５用のリール９および第２リール１１の駆動は位置割出し手段（インデキサ）を介して設けられかつそれゆえ間歇的な挙動を示す。図５においてより詳細に見られるように、チップモジュー
ル４を支持する第２キャリヤテープ５は、方向転換クサビ２７の下側を超えてかつこのキャリヤテープがクサビの向かい合った表面に沿って案内され、これに反してチップモジュール４は、第１キャリヤテープ１の上側表面に向かい合うような方法において搬送される。第２キャリヤテープ５は鋭角な前方縁部２８で方向転換され、その結果、チップモジュール４はキャリヤテープ５から解放される。この方法において解放されるチップモジュール４は下側に配置された下方スタンプ２６によって支持されるキャリヤテープ１上に上方スタンプ２５によって押圧される。
【００１９】
ここで例示されている好適な実施の形態によれば、チップモジュール４と第１キャリヤテープ１との固定は、第１キャリヤテープ１に対しチップモジュール４を貼り付けと、アンテナ２の端子３への取り付け時におけるチップモジュール４の端子パッド６の圧着とによって同時に実施される。ここで、貼り付けは、熱的に活性化され得る接着箔がキャリヤテープ５から離れて向かい合っているチップモジュールの側に割り当てられ、接着箔は加熱され得る上方スタンプ２５及び下方スタンプ２６によって第１キャリヤテープ１上に固定されることで全く簡単に成し遂げられる。貼り付けおよび圧着工程の間中、ホルダ装置２０、またはより精確には、その二重ロッカ２１は、クランクホイール２４を同期回転させることで第１及び第２キャリヤテープの供給速度と同一の速度において動かされ、その結果、チップモジュール４とキャリヤテープ１との間に引き起こされる相対的な運動を生じることはない。いったん圧着が完了すると、固定用スタンプ２５および２６はキャリヤテープ１から解放されかつロッカアーム２２および２３によってそれらの最初の位置に持ち来たされる。
【００２０】
ホルダ装置２０と第１キャリヤテープ１との同期は、センサを介した電子手段によって電気的駆動手段を作動させることで達成することができる。
【００２１】
上述した実施の形態は好適であるけれども、また、貼り付けおよび圧着が連続して位置決めされた、別個のステーションにおいて行なわれ得ることも考えられる。チップモジュールは先行する接着段階により圧着工程以前に相互に予め固定されるので、圧着工程に使用される対向固定具は必要ならば除去されることができる。
【図面の簡単な説明】
【００２２】
【図１】アンテナを備えた第１キャリヤテープを示す図である。
【図２】チップモジュールを備えた第２キャリヤテープを示す図である。
【図３】アンテナ端子に接続された配置されたチップモジュールを有する、図１による第１キャリヤテープを示す図である。
【図４】第１キャリヤテープ上のアンテナへの第２キャリヤテープ上のチップモジュールの接続用装置を示す概略図である。
【図５】図４における装置のＶを示す詳細図である。
【符号の説明】
【００２３】
１  第１キャリヤテープ
２  アンテナ用コイル
３  端子
４  チップモジュール
５  第２キャリヤテープ
６  端子パッド
７  アンテナリール
８  アンテナ仕上げリール
９  リール
１１  第２リール
２０  ホルダ装置
２１  二重ロッカ
２２  上方ロッカアーム
２３  下方ロッカア−ム
２４  クランクホイール
２５  上方スタンプ
２６  下方スタンプ
２７  方向転換クサビ
２８  前方縁部
【図１】
0004053496.tif 000002
【図２】
0004053496.tif 000003
【図３】
0004053496.tif 000004
【図４】
0004053496.tif 000005
【図５】
0004053496.tif 000006